(57)【特許請求の範囲】
【請求項１】
複数のフレームからなる画像信号と該画像信号に対応する同期信号とからなる複合画像信号を受信しそれぞれの信号を出力する画像信号受信部と、
該画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、
クロック挿げ替え部から出力された再生成された画像信号を、デジタルの伝送用信号に変換して出力する画像信号送信部と
を備えてなり、
前記クロック挿げ替え部は、
入力された画像信号の特徴を計測する信号計測手段と、
該信号計測手段の計測結果から画像信号を再生するための挿げ替え用クロック信号の周波数を判断する信号判断手段と、
該信号判断手段の判断結果に従って画像信号再生のための挿げ替え用クロック信号を生成するクロック発生手段と、
クロック発生手段で発生した挿げ替え用クロック信号を用いて、入力された画像信号を再生成する画像信号再生手段と
を備えることを特徴とする画像信号中継装置。
【請求項２】
前記画像信号再生手段は、
画像信号を記録するメモリ手段と、
画像信号に対応する同期信号に基づくクロック信号に同期して該メモリ手段に画像信号を書き込むメモリ書き込み手段と、
前記クロック発生手段で生成した挿げ替え用クロック信号に同期して該メモリ手段から画像信号を読み出し出力するメモリ読み出し手段と
を備えることを特徴とする請求項１に記載の画像信号中継装置。
【請求項３】
前記画像信号再生手段でメモリ書き込み時の水平総ドット数に対してメモリ読み出し時の総ドット数を少なくし、ドットクロックが低くなるようにすることを特徴とする請求項２に記載の画像信号中継装置の制御方法。
【請求項４】
複数のフレームからなる画像信号と該画像信号に対応する同期信号とからなる複合画像信号を受信しそれぞれの信号を出力する画像信号受信部と、
該画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、
クロック挿げ替え部から出力された再生成された画像信号を、デジタルの伝送用信号に変換して出力する画像信号送信部と
を備えてなり、
前記クロック挿げ替え部は、
入力された画像信号の特徴を計測する信号計測手段と、
該信号計測手段の計測結果から画像信号を再生するための挿げ替え用クロック信号の周波数を判断する信号判断手段と、
該信号判断手段の判断結果に従って画像信号再生のための挿げ替え用クロック信号を生成するクロック発生手段と、
クロック発生手段で発生した挿げ替え用クロック信号を用いて入力された画像信号を再生成する画像信号再生手段と、
入力された画像信号と再生した画像信号の位相差を検出するとともに、位相差に応じた制御信号を出力する位相差検出手段と
を備えることを特徴とする画像信号中継装置。
【請求項５】
前記位相差検出手段の検出結果から、発生した位相差を解消するように水平総ドット数または垂直総ライン数を調整することで位相差を少なくするように制御することを特徴とする請求項４に記載の画像信号中継装置の制御方法。
【請求項６】
前記クロック発生手段は、
入力された同期信号の位相と挿げ替え用クロック信号に対応する信号の位相を比較する位相比較手段と、
位相比較手段の比較結果に応じた挿げ替え用クロック信号を発振するクロック発振手段と、
クロック発振手段で生成した挿げ替え用クロック信号を分周し位相比較手段に送信する分周手段とから構成され、
位相比較手段における位相比較は画像データの存在しないブランキング期間にのみ行われることを特徴とした請求項１に記載の画像信号中継装置。
【請求項７】
前記クロック発生手段が、
入力された同期信号の位相と挿げ替え用クロック信号に対応する信号の位相を比較する位相比較手段と、
位相比較手段の比較結果に応じた挿げ替え用クロック信号を発振するクロック発振手段と、
クロック発振手段で生成した挿げ替え用クロック信号を分周し位相比較手段に送信する分周手段とから構成されるものであり、
位相比較手段における位相比較を画像データの存在しないブランキング期間にのみ行うことを特徴とした請求項１に記載の画像信号中継装置の制御方法。
【請求項８】
複数のフレームからなる画像信号と該画像信号に対応する同期信号とからなる複合画像信号を受信しそれぞれの信号を出力する画像信号受信部と、
該画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、
クロック挿げ替え部から出力された画像信号を、画像表示手段で表示をする画像信号表示部と、
該クロック挿げ替え部から出力された再生成された画像信号をデジタルの伝送用信号に変換して出力する画像信号送信部と
を備えてなり、
前記クロック挿げ替え部は、
入力された画像信号の特徴を計測する信号計測手段と、
該信号計測手段の計測結果から画像信号を再生するための挿げ替え用クロック信号の周波数を判断する信号判断手段と、
該信号判断手段の判断結果に従って画像信号再生のための挿げ替え用クロック信号を生成するクロック発生手段と、
クロック発生手段で発生した挿げ替え用クロック信号を用いて、入力された画像信号を再生成する画像信号再生手段と
を備えることを特徴とする画像表示装置。
【請求項９】
前記画像信号再生手段は、
画像信号を記録するメモリ手段と、
画像信号に対応する同期信号に基づくクロック信号に同期して該メモリ手段に画像信号を書き込むメモリ書き込み手段と、
前記クロック発生手段で生成した挿げ替え用クロック信号に同期して該メモリ手段から画像信号を読み出し出力するメモリ読み出し手段と
を備えることを特徴とする請求項８に記載の画像表示装置。
【請求項１０】
前記画像信号再生手段でメモリ書き込み時の水平総ドット数に対してメモリ読み出し時の総ドット数を少なくし、ドットクロックが低くなるようにすることを特徴とする請求項９に記載の画像表示装置の制御方法。
【請求項１１】
複数のフレームからなる画像信号と該画像信号に対応する同期信号とからなる複合画像信号を受信しそれぞれの信号を出力する画像信号受信部と、
該画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、
クロック挿げ替え部から出力された画像信号を、画像表示手段で表示をする画像信号表示部と、
該クロック挿げ替え部から出力された再生成された画像信号をデジタルの伝送用信号に変換して出力する画像信号送信部と
を備えてなり、
前記クロック挿げ替え部は、
入力された画像信号の特徴を計測する信号計測手段と、
該信号計測手段の計測結果から画像信号を再生するための挿げ替え用クロック信号の周波数を判断する信号判断手段と、
該信号判断手段の判断結果に従って画像信号再生のための挿げ替え用クロック信号を生成するクロック発生手段と、
クロック発生手段で発生した挿げ替え用クロック信号を用いて入力された画像信号を再生成する画像信号再生手段と、
入力された画像信号と再生した画像信号の位相差を検出するとともに、位相差に応じた制御信号を出力する位相差検出手段と
を備えることを特徴とする画像表示装置。
【請求項１２】
前記位相差検出手段の検出結果から発生した位相差を解消するように水平総ドット数または垂直総ライン数を調整することで位相差を少なくするように制御することを特徴とする請求項１１に記載の画像表示装置の制御方法。
【請求項１３】
前記クロック発生手段は、
入力された同期信号の位相と挿げ替え用クロック信号に対応する信号の位相を比較する位相比較手段と、
位相比較手段の比較結果に応じた挿げ替え用クロック信号を発振するクロック発振手段と、
クロック発振手段で生成した挿げ替え用クロック信号を分周し位相比較手段に送信する分周手段とから構成され、
位相比較手段における位相比較は画像データの存在しないブランキング期間にのみ行われることを特徴とした請求項８に記載の画像表示装置。
【請求項１４】
前記クロック発生手段は、
入力された同期信号の位相と挿げ替え用クロック信号に対応する信号の位相を比較する位相比較手段と、
位相比較手段の比較結果に応じた挿げ替え用クロック信号を発振するクロック発振手段と、
クロック発振手段で生成した挿げ替え用クロック信号を分周し位相比較手段に送信する分周手段とから構成されるものであり、
位相比較手段における位相比較を画像データの存在しないブランキング期間にのみ行うことを特徴とした請求項８に記載の画像表示装置の制御方法。
【発明の詳細な説明】
【０００１】
【発明の属する技術分野】
この発明はパーソナルコンピュータ（以下、ＰＣという）などで使用される所定のフォーマットを有する画像信号を、ＰＣなどの画像信号発生装置から受信し、所定のフォーマットの画像信号を再生して出力する画像信号中継装置、その画像信号中継装置の機能を持ちさらに受信した信号を液晶、ＣＲＴ、プラズマディスプレイあるいはエレクトロルミネッセンスなどの表示デバイスに表示するための画像信号中継機能つき画像表示装置、および画像信号中継装置や画像表示装置の制御方法に関するものである。
【０００２】
【従来の技術】
図１は画像信号を長距離伝送するために一般的に用いられる画像表示システムを示す図である。図１において、この画像表示システムは、画像信号発生装置１１と画像信号発生装置１１に含まれる画像信号発生手段１２と複数または単数の画像信号中継装置１３と画像表示装置１４とによって構成される。
【０００３】
この図において、画像信号発生装置１１は内部に画像信号発生手段１２を持ち、画像信号発生手段で作成した画像信号を出力する。出力された画像信号は画像信号中継装置１３で中継され画像表示装置１４に表示される。
【０００４】
図１１は上記画像表示システムに用いられる画像信号中継装置１３の従来の内部構成を示すブロック図である。図１１においてこの画像信号中継装置１３は受信端子１１１と画像信号受信手段１１２と画像信号受信手段１１２内に含まれるクロック再生手段１１５と画像信号送信手段１１３と画像信号出力端子１１４とによって構成される。
【０００５】
次に図１１に示す画像信号中継装置１３の動作について図１及び図１１を用いて説明する。図１に示すように画像信号発生装置１１より出力された画像信号は画像信号中継装置１３に入力される。図１１で示したように画像信号中継装置１３に入力された画像信号は入力コネクタ１１１を経て画像信号受信手段１１２に入力される。
【０００６】
画像信号受信手段１１２は受信した画像信号を確実に再生するために、内部に位相固定回路（以下、ＰＬＬ）を含むクロック再生手段１１５を持つことが一般的である。画像受信手段１１２はクロック再生手段１１５により再生したクロックで画像信号を確実に受信し、再生した画像信号を画像信号送信手段１１３に出力する。画像信号送信手段１１３は画像信号受信手段１１２から受信した画像信号を所定のフォーマットで出力する。図１に示すようにこの画像信号中継装置１３を多段に接続することによって画像信号を遠方まで伝送することが可能となる。
【０００７】
また、図１２は特開平１０−５１３５８号公報（特許文献１）で提案されている中継装置のうち画像信号の中継にかかわる部分のみを抜き出したブロック図である。図１２において、この画像信号中継装置１３は、受信端子１２１、復調部１２２、画像メモリ１２３、変調部１２４、クロック発生部１２５および出力端子１２６によって構成される。
【０００８】
次に図１２に示す画像信号中継装置１３の動作について図１及び図１２を用いて説明する。図１に示した画像信号発生手段１２では伝送用途として変調を加えたアナログ信号を生成し、画像信号発生装置１１の出力として出力する。出力された画像信号は図１２に示したように復調部１２２に入力され復調され、画像メモリ１２３に書き込まれる。
【０００９】
画像メモリ１２３に書き込まれた画像データは、クロック発生部１２５で生成されたクロックに同期して読み出され、変調部１２４に出力される。変調部１２４では受信した画像信号をクロック発生部１２５で生成したクロックに同期させて変調を行い出力する。
【００１０】
次に、関連する他の従来の技術についていくつか簡単に説明する。従来の中継装置には、テレビジョン用信号のような不安定な信号成分の再生のために用いられる受信装置において、複数回の計測を元に標本化クロックを決定する構成を有するものがある（例えば、特許文献２参照）。また他の中継装置として、伝送信号を、伝送クロックのＮ倍のクロックで動作するＰＬＬによって受信、再生し、さらにＭ倍（Ｎ＜Ｍ；Ｍ，Ｎは自然数）のクロックで動作するＰＬＬによって再生、送信するようにしたものもある（例えば、特許文献３参照）。
【００１１】
また、ＡＴＭ網（非同期転送モード網）でデータ通信を行う送受信装置において、網クロックに基づく補正用のタイムスタンプを用いることで、再生クロックを補正して生成するようにした技術がある（例えば、特許文献４参照）。また他の従来の技術として、ＰＬＬを用いず、伝送路を介して受信したデータを一時バッファに蓄積し、読み出しクロックの速度を切り替えることで伝送データの平均速度を一定速度に制御するものがある（例えば、特許文献５参照）。
【００１２】
また、従来のクロック再生回路での入力信号への同期のための構成においては、性能向上等のために種々の構成が提案されている（例えば、特許文献６〜特許文献８参照）。
【００１３】
【特許文献１】
特開平１０−５１３５８号公報（第３−４頁、第１図）
【特許文献２】
特開平６−３３８８８０号公報（第３−４頁、第１図）
【特許文献３】
特開平７−１３１４９２号公報（第２頁、第１図）
【特許文献４】
特開平１１−３５５２８０号公報（第５頁、第１図）
【特許文献５】
特開平１０−３２７１５８号公報（第３頁、第１図）
【特許文献６】
特開２００２−２１７７１５号公報（第４頁、第２図）
【特許文献７】
特開平８−１９１２９４号公報（第５−６頁、第５図）
【特許文献８】
特開平１０−２８５１５０号公報（第８−９頁、第１図）
【００１４】
【発明が解決しようとする課題】
図１１に示すような画像信号中継装置１３では、受信した画像信号のクロックに含まれている時間方向のゆれ（以下、ジッタ）を低減するような機能がなく、また、装置内にあるノイズなどによって内部でジッタを発生させることもある。図１に示すように多段に画像信号中継装置１３を接続した場合、クロックの持つジッタは段数が増えるにつれて積算され増加することとなる。
【００１５】
また、図１１に示すクロック再生手段１１５ではクロックを再生するためにＰＬＬを用いることが一般的であるが、ＰＬＬを使用した場合には固定できる位相範囲に制限があるために、ジッタの量が増えすぎた場合に正常に位相を固定することができなくなる。
【００１６】
図１２に述べた従来の構成では、入力信号とは同期をとっていないクロックを、メモリ読み出しおよび変調に使用しているために多段接続を行ってもジッタの積算は発生しない。このため上述の不具合は発生しないが、内部生成しているクロックが受信信号のクロックに関係なく固定値であるためにＰＣの出力信号のように種々の周波数を持つ画像信号を受信することができない。また、変調・復調にアナログ方式を採用しているために多段接続を行うことで、変調のエラーが発生しやすく段数を重ねるにつれて源信号を確実に再生することができなくなる。
【００１７】
また、特許文献２に示す標本化クロック再生方式にあっては、複数回の計測を元に標本化クロックを決定する構成となっているため、高速な信号判定が難しく、回路・構成が簡単ではないという課題があった。
【００１８】
また、特許文献３に示す多段中継方式にあっては、ジッタを持つ入力の場合にはＰＬＬ自体がジッタに追従してしまい、充分なジッタ低減効果が得られないという課題があった。また、ＰＬＬを常時作動させる構成としているため、例えば、伝送信号を複数フレームからなる画像信号とするような場合には、画像期間中においてもジッタの影響が生じてしまうという課題があった。
【００１９】
また、特許文献４に示すデータ伝送システムにあっては、内部生成するクロックではなく網クロックと呼ぶクロックを別に用いるため、そのための構成が必要になる。
【００２０】
また、特許文献５に示すクロック生成装置にあっては、入力信号のもともとのクロックに応じて内部生成クロックを切り替えるものではなく、バッファしたデータの量に応じてクロックを切り替えるものである。そのため、特定の信号に合わせて周波数の切り替えを行うような制御を行い難く、例えば、複数のフレームからなる画像信号に対応する同期信号の発生を正確に制御するようなことが困難であった。
【００２１】
この発明は上述のような問題点を解決するためになされたものであり、その目的は画像信号中継装置を多段に接続してもジッタの増加を防ぎ、ＰＬＬの異常動作をさせないようにし、かつ種々の周波数を持つ画像信号の受信を可能とし、さらに源画像信号に与える劣化を最低限に抑えた良好な画像信号を伝送することにある。つまり、図１に示すような画像表示システムにおいて、多段に画像信号中継装置を接続することを可能とし、長距離の画像信号伝送を可能とした画像信号中継装置を経てさらに前述の画像信号中継機能を内蔵した画像表示装置を提供することによって中継点での画像の閲覧を可能とし、さらにはそれら装置に適した制御方法を提供することを目的とする。この発明は、また、画像信号中継装置及び画像信号中継機能つき画像表示装置の構成を簡単化すること目的とする。
【００２２】
【課題を解決するための手段】
上記課題を解決するため、請求項１記載の発明は、複数のフレームからなる画像信号と該画像信号に対応する同期信号とからなる複合画像信号を受信しそれぞれの信号を出力する画像信号受信部と、該画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、クロック挿げ替え部から出力された再生成された画像信号を、デジタルの伝送用信号に変換して出力する画像信号送信部とを備えることを特徴とするものである。
【００２３】
また本発明は、前記クロック挿げ替え部は、入力された画像信号の特徴を計測する信号計測手段と、該信号計測手段の計測結果から画像信号を再生するための挿げ替え用クロック信号の周波数を判断する信号判断手段と、該信号判断手段の判断結果に従って画像信号再生のための挿げ替え用クロック信号を生成するクロック発生手段と、クロック発生手段で発生した挿げ替え用クロック信号を用いて、入力された画像信号を再生成する画像信号再生手段とを備えることを特徴とする。請求項２記載の発明は、前記画像信号再生手段は、画像信号を記録するメモリ手段と、画像信号に対応する同期信号に基づくクロック信号に同期して該メモリ手段に画像信号を書き込むメモリ書き込み手段と、前記クロック発生手段で生成した挿げ替え用クロック信号に同期して該メモリ手段から画像信号を読み出し出力するメモリ読み出し手段とを備えることを特徴とする。請求項３記載の発明は、前記画像信号再生手段でメモリ書き込み時の水平総ドット数に対してメモリ読み出し時の総ドット数を少なくし、ドットクロックが低くなるようにすることを特徴とする。
【００２４】
請求項４記載の発明は、前記クロック挿げ替え部は、入力された画像信号の特徴を計測する信号計測手段と、該信号計測手段の計測結果から画像信号を再生するための挿げ替え用クロック信号の周波数を判断する信号判断手段と、該信号判断手段の判断結果に従って画像信号再生のための挿げ替え用クロック信号を生成するクロック発生手段と、クロック発生手段で発生した挿げ替え用クロック信号を用いて入力された画像信号を再生成する画像信号再生手段と、入力された画像信号と再生した画像信号の位相差を検出するとともに、位相差に応じた制御信号を出力する位相差検出手段とを備えることを特徴とする。
【００２５】
請求項５記載の発明は、前記位相差検出手段の検出結果から、発生した位相差を解消するように水平総ドット数または垂直総ライン数を調整することで位相差を少なくするように制御することを特徴とする画像信号中継装置の制御方法である。
【００２６】
請求項６記載の発明は、前記クロック発生手段は、入力された同期信号の位相と挿げ替え用クロック信号に対応する信号の位相を比較する位相比較手段と、位相比較手段の比較結果に応じた挿げ替え用クロック信号を発振するクロック発振手段と、クロック発振手段で生成した挿げ替え用クロック信号を分周し位相比較手段に送信する分周手段とから構成され、位相比較手段における位相比較は画像データの存在しないブランキング期間にのみ行われることを特徴とする画像信号中継装置である。
【００２７】
請求項７記載の発明は、前記クロック発生手段が、入力された同期信号の位相と挿げ替え用クロック信号に対応する信号の位相を比較する位相比較手段と、位相比較手段の比較結果に応じた挿げ替え用クロック信号を発振するクロック発振手段と、クロック発振手段で生成した挿げ替え用クロック信号を分周し位相比較手段に送信する分周手段とから構成されるものであり、位相比較手段における位相比較を画像データの存在しないブランキング期間にのみ行うことを特徴とする画像信号中継装置の制御方法である。
【００２８】
請求項８記載の発明は、複数のフレームからなる画像信号と該画像信号に対応する同期信号とからなる複合画像信号を受信しそれぞれの信号を出力する画像信号受信部と、該画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、クロック挿げ替え部から出力された画像信号を、画像表示手段で表示をする画像信号表示部と、該クロック挿げ替え部から出力された再生成された画像信号をデジタルの伝送用信号に変換して出力する画像信号送信部とを備えることを特徴とする画像表示装置である。
【００２９】
また本発明は、前記クロック挿げ替え部は、入力された画像信号の特徴を計測する信号計測手段と、該信号計測手段の計測結果から画像信号を再生するための挿げ替え用クロック信号の周波数を判断する信号判断手段と、該信号判断手段の判断結果に従って画像信号再生のための挿げ替え用クロック信号を生成するクロック発生手段と、クロック発生手段で発生した挿げ替え用クロック信号を用いて、入力された画像信号を再生成する画像信号再生手段とを備えることを特徴とする。また、前記画像信号再生手段は、画像信号を記録するメモリ手段と、画像信号に対応する同期信号に基づくクロック信号に同期して該メモリ手段に画像信号を書き込むメモリ書き込み手段と、前記クロック発生手段で生成した挿げ替え用クロック信号に同期して該メモリ手段から画像信号を読み出し出力するメモリ読み出し手段とを備えることを特徴とする。
【００３０】
請求項１０記載の発明は、前記画像信号再生手段でメモリ書き込み時の水平総ドット数に対してメモリ読み出し時の総ドット数を少なくし、ドットクロックが低くなるようにすることを特徴とする画像表示装置の制御方法である。
【００３１】
請求項１１記載の発明は、前記クロック挿げ替え部は、入力された画像信号の特徴を計測する信号計測手段と、該信号計測手段の計測結果から画像信号を再生するための挿げ替え用クロック信号の周波数を判断する信号判断手段と、該信号判断手段の判断結果に従って画像信号再生のための挿げ替え用クロック信号を生成するクロック発生手段と、クロック発生手段で発生した挿げ替え用クロック信号を用いて入力された画像信号を再生成する画像信号再生手段と、入力された画像信号と再生した画像信号の位相差を検出するとともに、位相差に応じた制御信号を出力する位相差検出手段とを備えることを特徴とする画像表示装置である。
【００３２】
請求項１２記載の発明は、前記位相差検出手段の検出結果から発生した位相差を解消するように水平総ドット数または垂直総ライン数を調整することで位相差を少なくするように制御することを特徴とする画像表示装置の制御方法である。
【００３３】
請求項１３記載の発明は、前記クロック発生手段は、入力された同期信号の位相と挿げ替え用クロック信号に対応する信号の位相を比較する位相比較手段と、位相比較手段の比較結果に応じた挿げ替え用クロック信号を発振するクロック発振手段と、クロック発振手段で生成した挿げ替え用クロック信号を分周し位相比較手段に送信する分周手段とから構成され、位相比較手段における位相比較は画像データの存在しないブランキング期間にのみ行われることを特徴とする画像表示装置である。
【００３４】
請求項１４記載の発明は、前記クロック発生手段は、入力された同期信号の位相と挿げ替え用クロック信号に対応する信号の位相を比較する位相比較手段と、位相比較手段の比較結果に応じた挿げ替え用クロック信号を発振するクロック発振手段と、クロック発振手段で生成した挿げ替え用クロック信号を分周し位相比較手段に送信する分周手段とから構成されるものであり、位相比較手段における位相比較を画像データの存在しないブランキング期間にのみ行うことを特徴とする画像表示装置の制御方法である。
【００３５】
また、この発明では、所定のフォーマットを有する画像信号を受信し、その画像信号を出力する画像信号中継装置において、信号伝送に適した所定のフォーマットの画像信号を受信し処理しやすいフォーマットに変換して出力する画像信号受信部と、画像信号受信部から出力される画像信号のうちのクロックを内部で生成したクロックに挿げ替えて、挿げ替えられたクロックに画像信号を同期させて再生成するクロック挿げ替え部と、クロック挿げ替え部から出力される画像信号を信号伝送に適したフォーマットに変換して出力する画像信号送信部とを備えることを特徴とするような態様を取ることが可能である。
【００３６】
また、この発明の画像信号中継装置においては、クロック挿げ替え部は画像信号受信部から出力された画像信号に含まれるクロック信号の特徴を計測する信号計測手段と、信号計測手段で計測したクロック信号の特徴を元に再生成するクロックの周波数を判断する信号判断手段と、前記信号判断手段で判断したクロックの周波数のクロックを発生させるクロック発生手段と、画像信号受信手段から出力された画像信号をクロック発生手段で生成したクロック信号に同期させて再生成する画像信号再生手段とを備えることを特徴とするような態様を取ることが可能である。
【００３７】
また、この発明の画像信号送信部においては、信号の多段伝送を行っても源信号の劣化を最低限に抑えるためにデジタル伝送方式を採用し、２段回以降の伝送での信号の劣化を最低限に抑えることを可能としている。
【００３８】
【発明の実施の形態】
以下、図面を用いて、この発明における画像信号中継装置および画像表示装置の実施の形態のいくつかを詳細に説明する。
【００３９】
実施の形態１（構成・動作の説明）：
図１は、この発明の実施の形態１における画像表示システムを概略的に示す図である。図１において、この画像表示システムは画像信号発生装置１１、画像信号発生手段１２、１または複数の画像信号中継装置１３および画像表示装置１４によって構成されている。ここでは、図に示すように画像信号発生装置１１から出力された画像信号は複数の画像信号中継装置１３を介して画像表示装置１４に接続されて表示される。
【００４０】
以下、この画像表示システムの動作について説明する。画像信号発生装置１１は、画像表示装置１４の有する画像表示部に実際に表示される複数のフレームからなる正味の画像信号およびこの画像信号に対応する同期信号を出力する（以下、これらの出力信号を総称して複合画像信号ということとする）。
【００４１】
画像信号発生装置１１から出力された複合画像信号は、画像信号中継装置１３に与えられる。画像信号中継装置１３は、受信した複合画像信号に適合したクロックを内部生成し、そのクロックで画像信号を再生成して再生画像信号として出力する。複数ある画像信号中継装置１３はそれぞれ同様の動作をし、最終的に最後段に接続される画像表示装置１４に出力する。画像表示装置１４は画像信号中継装置１３から受信した再生画像信号を表示する。
【００４２】
上述した一例において、画像信号中継装置１３の出力は複数存在してもよい。この場合、同一の再生画像信号が複数の画像表示装置に接続されることとなるのは当然のことである。
【００４３】
実施の形態１の画像表示システム内で画像信号発生装置１１および画像表示装置１４に関しては、従来用いられている装置と動作に相違がないためここでは説明を省略し、この発明が特徴とする内部構成を有する画像信号中継装置１３に関して複合画像信号の受信から出力に至るまでの画像信号中継装置１３の制御方法について述べる。
【００４４】
すなわち、第１のステップで画像信号発生装置１１または他の画像信号中継装置１３から受信した伝送に適したフォーマットの複合画像信号を受信し、画像信号中継装置１３内で処理しやすいフォーマットに変換を行う。次に、第２のステップで受信した複合画像信号の特徴を計測し最適に生成したクロックを元に画像信号の再生成を行うことでクロックの挿げ替えを実現する。
【００４５】
なお、第２のステップにおいては、詳細は後述するが以下に述べる（ａ）から（ｄ）の各ステップを含んでいる。先ず、（ａ）複合画像信号のうちクロック成分の周波数またはそれを計算できる要素を計測し、（ｂ）計測した結果から画像信号を再生するために最適なクロック周波数を判断し、（ｃ）判断した結果のクロックを生成し、（ｄ）受信した画像信号を生成したクロックに同期するように再生成する。
【００４６】
そして、第２のステップにおいて再生成された再生画像信号を第３のステップで伝送に適したデジタル信号フォーマット（デジタルの伝送用信号）に変換して出力する。
【００４７】
以下、図面を参照しながら、実施の形態１をさらに詳細に説明する。図２は図１に示された画像信号中継装置１３の内部構造を示すブロック図である。図２に示すように、画像信号中継装置１３は、画像信号入力端子２１、画像信号受信手段２２、信号計測手段２３、信号判断手段２４、クロック発生手段２５、画像信号再生手段２６、画像信号送信手段２７および画像信号出力端子２８によって構成されている。
【００４８】
また、Ｄｉは画像信号受信手段２２が出力する複合画像信号、Ｄｒは画像信号再生手段２６が出力する再生画像信号、Ｒｃは信号計測手段２３が計測した結果、Ｒｄは信号判断手段２４が判断した結果、Ｃｌはクロック発生手段２５で生成したクロック信号（挿げ替え用クロック信号）である。
【００４９】
なお、以下に示す種々の実施の形態の説明においては、画像信号受信手段２２は画像信号受信部を、信号計測手段２３、信号判断手段２４（あるいは５１あるいは７２）、クロック発生手段２５（あるいは５２あるいは７１）および画像信号再生手段２６（あるいは５３）はクロック挿げ替え部を、画像信号送信手段２７は画像信号送信部をそれぞれ構成するものとする。
【００５０】
次に、図１〜図４を参照し、図１及び図２に示す画像信号中継装置１３の動作について説明する。
【００５１】
図３は、図２に示した信号判断手段２４で内部生成すべきクロック周波数を判断する制御方法の一例を示したものである。図３（ａ）が受信信号（複合画像信号Ｄｉに対応）を、図３（ｂ）がクロック変換後（クロック挿げ替え後）の画像信号（再生画像信号Ｄｒに対応）を示している。図３において横軸は時間、縦軸は電圧をそれぞれ示している。ここでいうドットは表示の１画素を示すものであり、水平同期信号とは表示の１ラインを示す信号である。ここで水平表示ドット数とは表示を行うべき期間が何画素分の時間であるかを示したものであり、水平総ドット数とは１ラインを構成する時間が何画素分に当てはまるかを示したものである。
【００５２】
図４は、図２に示した画像信号再生手段２６の内部構成の一例を示したブロック図である。図４に示すように画像信号再生手段２６はメモリ書込み制御手段４１、メモリ４２およびメモリ読み出し制御手段４３によつて構成されている。また、Ｄｉは画像信号受信手段２２から受信した複合画像信号、Ｃｄは画像信号受信手段２２から受信した複合画像信号Ｄｉに含まれ同期したクロック信号、Ｃｌはクロック発生手段２５で生成したクロック信号、ＤｒはＣｌに同期した再生画像信号である。
【００５３】
以下、図を参照しながら画像信号中継装置１３の動作について説明する。図１および図２に示すように、画像信号中継装置１３の画像信号入力端子２１に入力された複合画像信号は、画像信号受信手段２２で受信される。この際の複合画像信号は画像信号発生装置１１から画像信号中継装置１３までの伝送に用いられるために、伝送に適したフォーマットを有しており、一般的にはアナログビデオ信号と同期信号の組み合わせによるアナログＲＧＢ信号（Red Green Blue code）や、ＤＶＩ規格（Digital Visual Interface規格）で示されているシリアルデジタル信号などが用いられる。画像信号受信手段２２は受信した伝送に適したフォーマットの画像信号を処理しやすい形式の複合画像信号に変換して出力する。ここで処理しやすいフォーマットとは、一般的には並列デジタル信号が用いられる。
【００５４】
画像信号受信手段２２でフォーマットを変換する方式としては、受信した複合画像信号がアナログ信号である場合にはクロック信号を再生するためのＰＬＬなどのクロック再生回路を含むアナログ−デジタル変換回路を用いることが一般的であり、シリアルデジタル信号では受信信号に特有のデコード回路を用いることが一般的であり、デコード回路では受信信号の再生を確実に行うために再生用クロックの位相を調整するためにＰＬＬを持つ。また、それぞれの回路を持つことでアナログ・デジタルのいずれのフォーマットでも受信できるようになることは当然である。
【００５５】
画像信号受信手段２２から出力される複合画像信号Ｄｉは図２に示した信号計測手段２３ならびに画像信号再生手段２６に入力される。信号計測手段２３では受信した画像信号に含まれるクロック信号の周波数を計測し、計測結果Ｒｃを信号判断手段２４に出力する。
【００５６】
上記信号計測手段２３での計測においては、クロックの周波数を直接計測しなくても、水平総ドット数と水平周波数の値などの計測結果からクロックの周波数を判断することができる値を計測することでこれに変えることも可能である。
【００５７】
信号判断手段２４は信号計測手段２３で計測した結果Ｒcから、クロック発生手段２５で発生させるべきクロックの周波数を判断して判断結果Ｒdをクロック発生手段２５に出力する。この判断においては受信したクロックの周波数そのままを採用してもよいが、図３に示すように水平総ドット数を削減することで後段に送信するクロック周波数を下げるような工夫を入れることもできる。この変換において水平同期信号の周波数の変化はないため、図３に例示したように水平総ドット数が少なくなるようなクロックを選択することはクロック周波数が下げることと同義である。
【００５８】
また、後述のクロック発生手段２５のクロック生成を安定にするために、クロック発生周波数範囲を狭くするために、受信したクロック周波数が上限周波数の半分より低い場合には、整数倍の周波数のクロックを指定することも可能である。
【００５９】
また、上述の信号計測手段２３でクロック信号の周波数を推定できる計測行わない場合には、信号判断手段２４に記憶手段を持ち、記憶手段の中にあらかじめ判断情報を持つことで、信号計測手段２３から得られる情報を元にクロック信号の推測を行う方法を使うことも可能である。この場合には、水平同期信号および垂直同期信号の周波数や極性を元に判断することが一般的に知られている。
【００６０】
クロック発生手段２５は信号判断手段２４の判断結果を受けて、指定の周波数でクロックを生成する。この際水晶発振器などの発振素子を用いてもよいし、ＲＣ回路（抵抗やコンデンサで発振周波数を決定する発振回路）などによる発振回路を用いてもよい。さらにＰＬＬを持つ周波数安定手段を設けることも可能であるが、少なくとも受信した画像信号のクロックに定常的に同期させることは行わない。
【００６１】
画像信号再生手段２６は画像信号受信手段２２から受信した内部処理に適した複合画像信号Ｄｉに含まれるクロックを除く各信号を、クロック発生手段２５で生成したクロック信号Ｃｌに同期させて出力する。より詳しくは図４を用いて以下に説明する。
【００６２】
画像信号再生手段２６で受信した複合画像信号Ｄｉはメモリ書込み制御手段４１でメモリに書き込むフォーマットに変換され、複合画像信号Ｄｉに同期したクロックＣｄに同期してメモリ４２に書き込みが行われる。メモリ４２は受信した信号を記憶し、メモリ読出し制御手段４３はクロック発生手段２５で生成したクロックＣｌに同期してメモリからの読み出し、再生画像信号Ｄｒとして出力する。上述の動作により受信した複合画像信号Ｄｉは生成したクロックＣｌに同期した再生画像信号として再生成され、クロックの挿げ替えが行われる。
【００６３】
画像信号送信手段２７は、画像信号再生手段２６より出力された内部生成のクロックＣｌに同期した再生画像信号を、伝送に適したデジタルシリアル信号に変換して出力する。このデジタルシリアル信号にはごく一般的にはＤＶＩ規格に適合したフォーマットが用いられるが、システムとしての要求を満たすことが可能であればＬＶＤＳ信号（低電圧差動伝送信号）のようなほかのフォーマットを持つデジタルシリアル信号を用いることもあるし、ＣＭＯＳ（相補型金属酸化物半導体）などで構成した回路で処理可能なデジタルパラレル信号を用いることも可能である。
【００６４】
（作用効果の説明）：
実施の形態１の画像信号中継装置の構成によれば、図１の画像表示システムのように画像信号中継装置１３を多段に接続した場合でも、クロックを内部生成のクロックに挿げ替えているためにジッタの積算がおきることはなく、また受信信号のクロックを判別して適正なクロックへの挿げ替えを行うために種々の信号の受信が可能であり、さらに出力信号をデジタル信号としていることで多段接続時の信号劣化を低減することを可能としているために長距離伝送を実現することが可能となる。
【００６５】
実施の形態２（構成・動作の説明）：
図５はこの発明の実施の形態２における画像信号中継装置１３の構成を示すブロック図である。図５において画像信号中継装置１３は、画像信号入力端子２１、画像信号受信手段２２、信号計測手段２３、信号判断手段５１、クロック発生手段５２、画像信号再生手段５３、画像信号送信手段２７および画像信号出力端子２８によって構成されている。
【００６６】
また、Ｄｉは画像信号受信手段２２が出力する複合画像信号、Ｄｒは画像信号再生手段５３が出力する再生画像信号、Ｒｃは信号計測手段２３が計測した結果、Ｒｄは信号判断手段５１が判断した結果、Ｃｌはクロック発生手段５２で生成したクロック信号である。
【００６７】
図６は図５に示された画像信号再生手段５３の内部構成を詳細に示したブロック図である。図６において画像信号再生手段５３は、メモリ書込み制御手段４１、メモリ４２、位相差検出手段６１およびメモリ読出し制御手段６２によって構成されている。またＤｉは画像信号受信手段２２から受信した複合画像信号、Ｃｄは画像信号受信手段２２から受信した複合画像信号Ｄｉに含まれ同期したクロック信号、Ｒｍはメモリ４２への書き込み画像信号、Ｗｍはメモリ４２からの読出し画像信号、Ｃｌはクロック発生手段５２で生成したクロック信号、ＤｒはＣｌに同期した再生画像信号である。
【００６８】
次に図５および図６を用いてこの発明の実施の形態２の動作について説明する。本実施の形態における画像表示システムの構成図は実施の形態１で説明した図１と同一であるため、ここでは説明を省略する。また、図５において画像信号受信手段２２および画像信号送信手段２７についても実施の形態１と同様であるためここでは説明を行わない。
【００６９】
図５において信号計測手段２３は画像受信手段２２からの複合画像信号Ｄｉを受信し、受信した複合画像信号Ｄｉに含まれるクロック信号の周波数またはクロックの周波数を知りうる信号の特徴を計測する。
【００７０】
信号判断手段５１は、信号計測手段２３の計測結果Ｒｃから実施の形態１で示した手法と同様の手法で受信した画像信号のクロック周波数を得て、後述のクロック発生手段５２で生成しうるクロック周波数との誤差を最小となるようにクロック発生手段５２に発生すべきクロック周波数を指示する判断結果Ｒｄを出力する。
【００７１】
クロック発生手段５２は信号判断手段５１の判断結果Ｒｄを受けて指定の周波数でクロックを生成する。この際水晶発振器などの発振素子を用いてもよいし、ＲＣ回路などによる発振回路を用いてもよい。さらにＰＬＬを持つ周波数安定手段を持ってもよいが少なくとも受信した複合画像信号Ｄｉのクロックに定常的に同期させることは行わない。
【００７２】
画像信号再生手段５３は画像信号受信手段２２から受信した内部処理に適した複合画像信号Ｄｉに含まれるクロックを除く各信号を、クロック発生手段５２で生成したクロック信号Ｃｌに同期させて出力する。より詳しくは、図６を用いて以下に説明する。
【００７３】
メモリ書込み制御手段４１は画像信号受信手段２２からの複合画像信号Ｄｉを受信し、複合画像信号Ｄｉに含まれ同期したクロック信号Ｃｄに同期したメモリ書込み画像信号Ｒｍを生成出力する。メモリ４２は受信した書き込み画像信号Ｒｍを受けて記憶し、メモリ読出し制御手段６２からの制御にしたがってメモリ読出し画像信号Ｗｍを出力する。
【００７４】
位相差検出手段６１は、メモリ書込み画像信号Ｒｍとメモリ読出し画像信号Ｗｍの位相を比較し、その位相差を示す信号Ｐｄをメモリ読出し制御手段６２に出力する。この際検出する位相差は、書き込みクロックと読み出しクロックの位相差を検出してもよいが、より簡単には１ラインの書き込み・読出し終了を示す水平同期信号の位相差を見ることでよい。
【００７５】
メモリ読出し制御手段６２は、位相差検出手段６１からの検出位相差情報Ｐｄを受け、クロック発生手段５２から入力されたクロック信号Ｃｌに同期してメモリの読出しを行うが、この際の読み出し処理は次のアルゴリズムで行う。
【００７６】
以下の説明は、上記位相差検出手段６１で水平同期信号の位相差を検出しているものとして行う。クロックの位相差を用いる場合にはより精細な制御が必要となるが基本的な考え方は同様である。
【００７７】
位相差検出手段６１で検出した垂直同期信号の次の水平同期信号の位相差は１水平周期に発生した時間差であるので、これに総水平同期信号数（垂直同期期間に存在する水平同期信号の数）を掛け合わせた時間が１垂直同期期間に発生する入力同期信号と出力同期信号の位相差である。メモリ読出し制御手段６２では、上記位相差に対し１垂直周期の最後の１水平期間を補正することで、出力する垂直同期期間を入力の垂直同期期間と同一となるようにする。
【００７８】
上記動作においては出力垂直同期期間が入力垂直同期期間と同一とするために垂直同期間の最後の水平同期期間を変更したが、この補正を行うのは必ずしも最後の期間である必要はなく、全体の画像信号処理に不都合の無いように変更することは可能である。また、かならずしも一つの水平期間のみで補正することも必要はなく、水平同期間のクロック数を毎水平期間で補正することで上記を実現することも可能である。
【００７９】
（作用効果の説明）：
実施の形態２の画像信号中継装置１３の構成によれば、内部で生成したクロックと入力クロックの周波数にずれが発生した場合でも自動的に補正することが可能となるために、内部生成するクロックに高精度な高価な回路を用いる必要はなく、安価に多段接続用の画像信号中継装置１３を提供することが可能となる。
【００８０】
実施の形態３（構成・動作の説明）：
図７はこの発明の実施の形態３における画像信号中継装置１３の構成を示すブロック図である。図７において画像信号中継装置１３は、画像信号入力端子２１、画像信号受信手段２２、信号計測手段２３、信号判断手段７２、クロック発生手段７１、画像信号再生手段５３、画像信号送信手段２７および画像信号出力端子２８によって構成されている。
【００８１】
また、Ｄｉは画像信号受信手段２２が出力する複合画像信号、Ｄｒは画像信号再生手段５３が出力する再生画像信号、Ｒｃは信号計測手段２３が計測した結果、Ｒｄは信号判断手段７２が判断した結果、Ｃｌはクロック発生手段７１で生成したクロック信号、Ｓｋは複合画像信号Ｄｉに含まれる同期信号成分である。
【００８２】
図８は図７に示されたクロック発生手段７１の内部構成の一例を詳細に示したブロック図である。図８においてクロック発生手段７１は、位相比較手段８１、クロック発振手段８２、分周手段８３によって構成されている。また、Ｓｋは画像信号受信手段２２から受信した再生画像信号に含まれる同期信号成分、Ｒｄは信号判断手段が判断した結果、Ｐｒは位相比較手段８１が比較した結果、Ｓｒは出力クロックＣｌを分周手段８３で分周した比較用擬似同期信号、Ｃｌはクロック発振手段で生成したクロック信号である。
【００８３】
次に図７および図８を用いてこの発明の実施の形態３の動作について説明する。本実施の形態における画像表示システムの構成図は実施の形態１で説明した図１と同一であるためここでは説明を省略する。また、図７においてクロック発生手段７１および信号判断手段７２を除く各手段については実施の形態２と同様であるためここでは説明を行わない。
【００８４】
図７において信号判断手段７２は、信号計測手段２３の計測結果Ｒｃから１水平同期期間に含まれるクロック数をクロック発生手段７１に出力する。
【００８５】
クロック発生手段７１は、複合画像信号Ｄｉに含まれる同期信号Ｓｋを受信する。この同期信号Ｓｋはより具体的には、水平同期信号と垂直同期信号を少なくとも含む。
【００８６】
受信した同期信号Ｓｋは図８で示すように、位相比較手段８１に入力される。位相比較手段８１では、前述の同期信号Ｓｋと分周手段８３より入力された比較用擬似同期信号Ｓｒを比較してその位相差をＰｒとして出力する。この際、位相比較は画像信号の存在しない垂直ブランキング期間内にのみ行われるようにし、位相比較を行わない期間には出力Ｐｒを位相差なしを意味するように固定しておく。
【００８７】
クロック発振手段８２では受信した位相比較結果Ｐｒに応じて発振周波数を変更してクロック発振を行う。位相比較の結果Ｐｒが入力同期信号のほうが早い場合には発振周波数を下げ、遅い場合には発振周波数を上げるように動作し生成したクロック信号Ｃｌを出力する。
【００８８】
分周手段８３は、クロック発振手段８２で生成したクロック信号Ｃｌを信号判断手段７２で判断した結果Ｒｄの水平総クロック数で分周し、分周した結果を擬似同期信号Ｓｒとして出力する。
【００８９】
以上の説明では、クロック発振手段８２にＰＬＬ回路構成を用いた場合で説明をおこなったが、ここではその構成に限定するものではなく、例えば単純なリセット回路などを用いるなど、入力同期信号Ｓｋに対して同期を取ることが可能な回路構成であればどのような構成でも用いることが可能である。
【００９０】
（作用効果の説明）：
実施の形態３の画像信号中継装置１３の構成によれば、内部で生成するクロックの周波数を入力信号に同期して生成するために、自動追従をより高速かつ正確に行うことが可能であり、また画像ブランキング期間中に同期を取るために画像信号期間中は非同期であることから、入力信号にジッタがあったとしても画像が乱れることはない。
【００９１】
以上の動作によって画像信号期間中のジッタを抑えつつ入力信号に追従できるため、伝送される画像信号が随時変化する場合でも、画像信号中継装置１３の段数を増加させ長距離を伝送することを可能にした画像信号中継装置１３を提供することができる。
【００９２】
実施の形態４（構成・動作の説明）：
図９はこの発明の実施の形態４における画像表示システムを概略的に示す図である。図９において、この画像表示システムは画像信号発生装置１１、画像信号発生手段１２、１または複数の画像表示装置９１および画像表示装置１４によって構成されている。ここでは、図に示すように画像信号発生装置１１から出力された画像信号は複数の画像表示装置９１を介して画像表示装置１４に接続されてそれぞれの画像表示装置に表示される。
【００９３】
以下、この画像表示システムの動作について説明する。画像信号発生装置１１は画像表示装置９１および１４の有する画像表示部に実際に表示される正味の画像信号およびこの画像信号に対応する同期信号を出力する。
【００９４】
画像信号発生装置１１から出力された複合画像信号は、画像表示装置９１に与えられる。画像表示装置９１は、受信した複合画像信号に適合したクロックを内部生成し、そのクロックで画像信号を再生成して再生画像信号として出力するとともに、自らの画像表示部に表示する。複数ある画像表示装置９１はそれぞれ同様の動作をし、最終的に最後段に接続される画像表示装置１４に出力する。画像表示装置１４は画像表示装置９１から受信した再生画像信号を表示する。
【００９５】
上述した一例において画像表示装置９１の出力は複数存在してもよい。この場合、同一の再生画像信号が複数の画像表示装置９１または１４に接続されることとなるのは当然のことである。
【００９６】
また、上述した例において最終段に接続した画像表示装置１４は、システム内になくてもよく、その場合には最終段に接続された画像表示装置９１の出力には何も接続されない。
【００９７】
さらに言えば、図９では中継に画像表示装置９１のみを使用しているが、画像の表示が不要な場合にはこの発明の実施の形態１、２および３で述べたような画像信号中継装置１３を用いることは可能であり、その場合には画像の表示が必要な中継点では画像表示装置９１を使用し、そうでない中継点では画像信号中継装置１３を使用するという混在システムとなる。
【００９８】
図１０は、この発明の実施の形態４における画像表示装置９１の構成を示すブロック図である。図１０において画像表示装置９１は、画像信号入力端子２１、画像信号受信手段２２、信号計測手段２３、信号判断手段７２、クロック発生手段７１、画像信号再生手段５３、画像信号送信手段２７、画像信号出力端子２８および画像信号表示手段１０１によって構成されている。
【００９９】
また、Ｄｉは画像信号受信手段２２が出力する複合画像信号、Ｄｒは画像信号再生手段５３が出力する再生画像信号、Ｒｃは信号計測手段２３が計測した結果、Ｒｄは信号判断手段７２が判断した結果、Ｃｌはクロック発生手段７１で生成したクロック信号、Ｓｋは複合画像信号Ｄｉに含まれる同期信号成分である。
【０１００】
次に図１０を用いてこの発明の実施の形態４の動作について説明する。本実施の形態における画像表示システムの構成図は説明した図９に示しており、その概要の動作は前述のとおりである。また図１０において画像信号表示手段１０１を除く各手段については実施の形態３と同様であるためここでは説明を行わない。
【０１０１】
ここで画像表示部をなす画像信号表示手段１０１に用いられる表示素子は、ＬＣＤ（液晶ディスプレイ）、ＣＲＴ（陰極線管）、ＰＤＰ（プラズマディスプレイ）やＥＬ（エレクトロルミネッセンス）などの一般的な表示装置の何れでも使用可能であり、使用する表示素子に適合した表示制御回路を含むこととする。
【０１０２】
画像信号表示手段１０１は画像信号受信手段２２から出力された複合画像信号Ｄｉを受信し、使用する表示素子に適合した制御方式を用いて表示を行う。
【０１０３】
ここでは画像の表示を画像信号受信手段２２の出力信号を用いて行う例を示しているが、画像信号発生装置１１からの信号を直接画像信号入力端子２１から受信することも可能であるし、画像信号再生手段５３の出力を受信するようにすることもでき、さらに画像信号送信手段２７の出力信号を用いることも可能である。
【０１０４】
また、ここでは画像信号表示手段１０１以外の構成をこの発明の実施の形態３の構成と同一として説明をしているが、実施の形態１または実施の形態２の構成と同一とすることも可能である。
【０１０５】
（作用効果の説明）：
実施の形態４の画像表示システムの構成によれば、図９で示すように画像信号中継機能を持つ画像表示装置９１を多段に接続した場合でも、クロックを内部生成のクロックに挿げ替えているためにジッタの積算がおきることはなく、また受信信号のクロックを判別して適正なクロックへの挿げ替えを行うために種々の信号の受信が可能であり、さらに出力信号をデジタル信号としていることで多段接続時の信号劣化を低減することを可能としているために、中継地点で画像の表示をしつつ長距離の伝送が可能となる。
【０１０６】
なお、この発明の実施の形態は、上記のものに限定されることなく、例えば、画像信号中継装置１３内の各手段を統合あるいはさらに分割するなどの変更を適宜行うことができる。
【０１０７】
【発明の効果】
以上説明したように本発明によれば、画像信号受信部から出力される画像信号に対応する同期信号に基づくクロック信号を内部で生成した挿げ替え用クロック信号に挿げ替え、挿げ替え用クロック信号を用いて入力された画像信号を再生成するクロック挿げ替え部と、クロック挿げ替え部から出力された再生成された画像信号を、デジタルの伝送用信号に変換して出力する画像信号送信部とを備えるようにしたので、構成を簡単化できるともに、画像信号中継装置を多段に接続してもジッタの増加を防ぎ、かつ種々の周波数を持つ画像信号の受信を可能とし、さらに源画像信号に与える劣化を最低限に抑えた良好な画像信号を伝送することができるという効果を奏する。
【図面の簡単な説明】
【図１】  この発明および従来の技術において画像信号を長距離伝送するために一般的に用いられる画像表示システムを概略的に示す図である。
【図２】  この発明の実施形態１における図１に示された画像信号中継装置１３の内部構造を示すブロック図である。
【図３】  図２に示した信号判断手段２４で内部生成すべきクロック周波数を判断する制御方法の一例を示す図であり、図３（ａ）が受信信号を、図３（ｂ）がクロック変換後（クロック挿げ替え後）の画像信号を示している。
【図４】  図２に示した画像信号再生手段２６の内部構成の一例を示したブロック図である。
【図５】  この発明の実施の形態２における画像信号中継装置１３の構成を示すブロック図である。
【図６】  図５に示された画像信号再生手段５３の内部構成を詳細に示したブロック図である。
【図７】  この発明の実施の形態３における画像信号中継装置１３の構成を示すブロック図である。
【図８】  図７に示されたクロック発生手段７１の内部構成の一例を詳細に示したブロック図である。
【図９】  この発明の実施の形態４における画像表示システムを概略的に示す図である。
【図１０】  この発明の実施の形態４における画像表示装置９１の構成を示すブロック図である。
【図１１】  図１の画像表示システムに用いられる画像信号中継装置１３の従来の内部構成を示すブロック図である。
【図１２】  図１２は従来の中継装置のうち画像信号の中継にかかわる部分のみを抜き出したブロック図である。
【符号の説明】
１１  画像信号発生装置
１２  画像信号発生手段
１３  画像信号中継装置
１４  画像表示装置
２１  画像信号入力端子
２２  画像信号受信手段
２３  信号計測手段
２４  信号判断手段
２５  クロック発生手段
２６  画像信号再生手段
２７  画像信号送信手段
２８  画像信号出力端子
４１  メモリ書込み制御手段
４２  メモリ
４３  メモリ読み出し制御手段
５１  信号判断手段
５２  クロック発生手段
５３  画像信号再生手段
６１  位相差検出手段
６２  メモリ読出し制御手段
７１  クロック発生手段
７２  信号判断手段
８１  位相比較手段
８２  クロック発振手段
８３  分周手段
９１  画像表示装置
１０１  画像信号表示手段
Ｃｄ  複合画像信号Ｄｉに含まれ同期したクロック信号
Ｃｌ  クロック発生手段で生成したクロック信号（挿げ替え用クロック信号）
Ｄｉ  画像信号受信手段が出力する複合画像信号
Ｄｒ  画像信号再生手段が出力する再生画像信号
Ｐｄ  検出位相差情報
Ｐｒ  位相比較手段８１が比較した結果の位相差を示す位相比較結果
Ｒｃ  信号計測手段が計測した結果
Ｒｄ  信号判断手段が判断した結果
Ｒｍ  メモリへの書き込み画像信号
Ｓｋ  複合画像信号Ｄｉに含まれる同期信号成分
Ｓｒ  出力クロックＣｌを分周手段８３で分周した比較用擬似同期信号
Ｗｍ  メモリからの読出し画像信号
【図１】
0003704121.tif 000002
【図２】
0003704121.tif 000003
【図３】
0003704121.tif 000004
【図４】
0003704121.tif 000005
【図５】
0003704121.tif 000006
【図６】
0003704121.tif 000007
【図７】
0003704121.tif 000008
【図８】
0003704121.tif 000009
【図９】
0003704121.tif 000010
【図１０】
0003704121.tif 000011
【図１１】
0003704121.tif 000012
【図１２】
0003704121.tif 000013